(57)【要約】【課題】個々の薬剤や注射薬品処方を簡便化するとともに、薬剤や注射薬品を用法別のグループに分けて取り扱う手段を導入することにより、一包化や看護師管理、複雑な点滴等を、簡便で系統的に入力し処理できるシステムを提供する。【解決手段】医療上の処方を電子的手段を用いて入力・作成を行なう医療上の処方作成システムであって、予めツリー状に使用材料を分類記録した使用材料分類記録手段と、前記使用材料分類記録手段に記録された内容をツリー構造に沿って表示するツリー表示手段と、前記ツリー表示手段から必要な使用材料を選択する選択手段と、前記選択手段によって選択された使用材料を入力する使用材料入力手段を備えている。【選択図】　　　　図１
2004110532.tif 000002
【特許請求の範囲】
【請求項１】
医療上の処方を電子的手段を用いて入力・作成を行なう医療上の処方作成システムであって、
予めツリー状に使用材料を分類記録した使用材料分類記録手段と、
前記使用材料分類記録手段に記録された内容をツリー構造に沿って表示するツリー表示手段と、
前記ツリー表示手段から必要な使用材料を選択する選択手段と、
前記選択手段によって選択された使用材料を入力する使用材料入力手段を備えたことを特徴とする医療上の処方作成システム。
【請求項２】
医療上の処方を電子的手段を用いて入力・作成を行なう医療上の処方作成システムであって、
使用材料を入力する使用材料入力手段を備え、
前記使用材料入力手段は今回のみ実行を行わない休止フラグの入力を可能とする休止フラグ入力手段を備えたことを特徴とする医療上の処方作成システム。
【請求項３】
材料別に標準的な用法用量を記録しておき、これを呼び出すことで簡便な入力を可能とする材料別標準用法用量記録手段を備えたことを特徴とする請求項１〜２いずれか記載の医療上の処方作成システム。
【請求項４】
材料別に請求コンピュータ用コード、付随して使用される消耗品などを記録しておき、これを呼び出すことで医事請求システムや在庫管理システムとの連携を可能とする材料管理手段を備えたことを特徴とする請求項１〜３いずれか記載の医療上の処方作成システム。
【請求項５】
年齢や体重などの患者条件入力手段と、年齢乃至体重による標準用量を記録した前記材料別標準用法用量記録手段を備え、患者の年齢乃至体重から標準用量を計算する標準用量計算手段を備えたことを特徴とする請求項１〜４いずれか記載の医療上の処方作成システム。
【請求項６】
医療上の処方を電子的手段を用いて入力・作成を行なう医療上の処方作成システムであって、
使用材料を入力する使用材料入力手段を備え、
使用材料のリストを用法別のグループに編成するグループ作成手段を備えたことを特徴とする医療上の処方作成システム。
【請求項７】
前記グループ作成手段において、グループ属性の入力を行う、グループ属性入力手段を備えたことを特徴とする請求項６記載の医療上の処方作成システム。
【請求項８】
前記グループ作成手段において、１）入力された使用材料の用法の一致で自動的にグループ作成を行う、２）使用材料の属するグループを処方者が指定する、３）予め同一属性の使用材料に振られている属性コードに基づき自動的にグループ作成を行う、４）タグの同一性に基づき自動的にグループ作成を行う、のいずれかのグループ作成手段を備えたことを特徴とする請求項６〜７いずれか記載の医療上の処方作成システム。
【請求項９】
前記グループ作成手段において、いずれかのグループ作成手段によって同一グループとされた使用材料群のうち、指定された使用材料群を別グループに分割するグループ分割手段を備えたことを特徴とする請求項６〜８いずれか記載の医療上の処方作成システム。
【請求項１０】
前記グループ別に、ラベル印刷を行うラベル印刷手段を備えたことを特徴とする請求項６〜９いずれか記載の医療上の処方作成システム。
【請求項１１】
前記ラベル印刷手段において、前記休止フラグの立っている材料の、印刷の可否を選択可能としたことを特徴とする請求項１０記載の医療上の処方作成システム。
【請求項１２】
処方全体もしくは前記グループ別に、指示を実行する時間を指定する、実行指定時間入力手段を備えたことを特徴とする請求項１〜１１いずれか記載の医療上の処方作成システム。
【請求項１３】
処方全体もしくは前記グループ別に、指示を実行する部位を指定する、実行部位入力手段を備えたことを特徴とする請求項１〜１２いずれか記載の医療上の処方作成システム。
【請求項１４】
前記実行指定時間別、前記グループ別に、指示内容を表示もしくは印刷する、時間表表示手段を備えたことを特徴とする請求項１〜１３いずれか記載の医療上の処方作成システム。
【請求項１５】
前記グループ別に編成された使用材料のリストからなる処方を記録し、必要に応じて呼び出し再利用する処方記録手段を備えたことを特徴とする請求項１〜１４いずれか記載の医療上の処方作成システム。
【発明の詳細な説明】
【０００１】
【発明の属する技術分野】
本発明は、医療上の指示や処方を入力、処理する医療上の処方作成システムに関する。
【０００２】
【従来の技術】
薬剤の処方においては、薬剤名、一日の投与量、分服数、服用時間、投与日数を指定した処方箋を発行する必要がある。通常は用法別に記載するが、同じ三回分服でも、毎食後、毎食前、毎食間、朝夕食後と眠前などと複雑な指定が必要である。また、痴呆のある患者の場合は、一緒に飲む薬剤を、一回分ずつ一つの袋にまとめる一包化を行う必要がある。入院中の患者の睡眠薬などで飲み間違えると危険な薬剤については、看護師管理として安全を確保する場合もある。
点滴の処方においては、投与ルート別、時間別に、点滴基剤や混注する注射薬品名、用量などを指示する必要がある。集中治療室などでは、両腕、両下肢、鎖骨下静脈などの複数の点滴ルートから、時間を決めて様々な組成の点滴を行う。同じ点滴ルートにおいても、点滴基剤と呼ばれる５００ｍｌ〜１０００ｍｌを点滴で流しながら、側管から２０ｍｌの生理食塩水に希釈した注射薬品を注入したり、ピギーバッグと呼ばれる１００ｍｌ程度の小点滴を、点滴基剤とともに流したりする。
紙に手書きした処方箋を用いている医療機関が多いが、処方のたびに全ての記載事項の手書きを繰り返す必要があること、また、手書きの文字の読みにくさから医療事故につながる危険性があることなどから、現在電子的に入力、処理を行う、いわゆる電子カルテの導入が進められている。
【０００３】
従来の電子カルテの処方システムにおいては、個々の薬品や注射剤をしてするのに読仮名入力に基づくのものが多いため、同一薬効でも商品名が違えば全く検索できず、入力に難渋することが少なくなかった。医師からは、同一薬効の薬品や注射剤のリストの中から選択して処方を行いたいとする要望が強いのであるが、これに応えるものがなかった。
オーダリングは、医事請求システムのみならず在庫管理システム等と連携するとより有用であるが、従来のオーダリングシステムでは、請求が認められていない医療行為や消耗品の指示がうまく実装されておらず、部分的なシステム化に留まる欠点があった。
処方が定期的に繰り返される際、何らかの事情で一部の薬品や注射剤が一時的に不要になる場合がある。この時、従来の処方入力システムでは、その薬品や注射剤を処方リストから削除するしかなかった。こうすると、次回の定期処方時に、本来必要である薬品や注射剤が復活せず、削除されたままになるというミスが多発することが経験されている。
【０００４】
薬剤の処方においては、薬品毎に、一日用量、分服数、服用時間、日数などの項目を指定する必要がある。また、小児科においては、患児の体重に応じて用量を加減する必要がある。これらの入力に多大な時間を要していた。
また入力されたリストは、個々の薬剤や注射薬品の単なるリストを入力するもので、同一の包装や混和などの処理を必要とするものをグループ別にまとめて管理するものではなかった。このため、用法の異なる薬剤が混在したり、一包化や看護師管理の指示が出しにくく、分かり難いものになりやすかったりといった欠点があった。
薬局の調剤業務においては、用法別に薬品を調合、包装したり、同時に使われる注射剤毎にまとめたりする作業があるが、処方箋が用法別にグループ化されていないために、手作業で振り分ける必要があり、多大な労力を強いていた。
点滴においては、ルート別時間別の指示が系統化しにくく、また、薬局からの注射薬品の払い出しや病棟での受取りの際のチェックが煩雑となり、施行ミスの温床となっていた。
せっかく多大の労力をかけて入力した処方が、再利用されず、別の患者の処方では、また一から入力を繰り返す必要があった。
【０００５】
【発明が解決しようとする課題】
本発明はかかる従来の問題点を解決するためになされたものであって、その目的とするところは、個々の薬剤や注射薬品処方を簡便化するとともに、薬剤や注射薬品を用法別のグループに分けて取り扱う手段を導入することにより、一包化や看護師管理、複雑な点滴等を、簡便で系統的に入力し処理できるシステムを提供することにある。
【０００６】
【課題を解決するための手段】
前記目的を達成するための手段として請求項１記載の医療上の処方作成システムでは、医療上の処方を電子的手段を用いて入力・作成を行なう医療上の処方作成システムであって、予めツリー状に使用材料を分類記録した使用材料分類記録手段と、前記使用材料分類記録手段に記録された内容をツリー構造に沿って表示するツリー表示手段と、前記ツリー表示手段から必要な使用材料を選択する選択手段と、前記選択手段によって選択された使用材料を入力する使用材料入力手段を備えている。
【０００７】
請求項２記載の医療上の処方作成システムでは、医療上の処方を電子的手段を用いて入力・作成を行なう医療上の処方作成システムであって、使用材料を入力する使用材料入力手段を備え、前記使用材料入力手段は今回のみ実行を行わない休止フラグの入力を可能とする休止フラグ入力手段を備えている。
【０００８】
請求項３記載の医療上の処方作成システムでは、請求項１〜２いずれか記載の医療上の処方作成システムにおいて、材料別に標準的な用法用量を記録しておき、これを呼び出すことで簡便な入力を可能とする材料別標準用法用量記録手段を備えている。
【０００９】
請求項４記載の医療上の処方作成システムでは、請求項１〜３いずれか記載の医療上の処方作成システムにおいて、材料別に請求コンピュータ用コード、付随して使用される消耗品などを記録しておき、これを呼び出すことで医事請求システムや在庫管理システムとの連携を可能とする材料管理手段を備えている。
【００１０】
請求項５記載の医療上の処方作成システムでは、請求項１〜４いずれか記載の医療上の処方作成システムにおいて、年齢や体重などの患者条件入力手段と、年齢乃至体重による標準用量を記録した前記材料別標準用法用量記録手段を備え、患者の年齢乃至体重から標準用量を計算する標準用量計算手段を備えている。
【００１１】
請求項６記載の医療上の処方作成システムでは、医療上の処方を電子的手段を用いて入力・作成を行なう医療上の処方作成システムであって、使用材料を入力する使用材料入力手段を備え、使用材料のリストを用法別のグループに編成するグループ作成手段を備えている。
請求項７記載の医療上の処方作成システムでは、請求項６記載の医療上の処方作成システムのにおいて、前記グループ作成手段において、グループ属性の入力を行う、グループ属性入力手段を備えている。
【００１２】
請求項８記載の医療上の処方作成システムでは、請求項６〜７いずれか記載の医療上の処方作成システムにおいて、前記グループ作成手段において、１）入力された使用材料の用法の一致で自動的にグループ作成を行う、２）使用材料の属するグループを処方者が指定する、３）予め同一属性の使用材料に振られている属性コードに基づき自動的にグループ作成を行う、４）タグの同一性に基づき自動的にグループ作成を行う、のいずれかのグループ作成手段を備えている。
【００１３】
請求項９記載の医療上の処方作成システムでは、請求項６〜８いずれか記載の医療上の処方作成システムにおいて、前記グループ作成手段において、いずれかのグループ作成手段によって同一グループとされた使用材料群のうち、指定された使用材料群を別グループに分割するグループ分割手段を備えている。
【００１４】
請求項１０記載の医療上の処方作成システムでは、請求項６〜９いずれか記載の医療上の処方作成システムにおいて、前記グループ別に、ラベル印刷を行うラベル印刷手段を備えている。
【００１５】
請求項１１記載の医療上の処方作成システムでは、請求項１０記載の医療上の処方作成システムにおいて、前記ラベル印刷手段において、前記休止フラグの立っている材料の、印刷の可否を選択可能とした。
【００１６】
請求項１２記載の医療上の処方作成システムでは、請求項１〜１１いずれか記載の医療上の処方作成システムにおいて、処方全体もしくは前記グループ別に、指示を実行する時間を指定する、実行指定時間入力手段を備えている。
【００１７】
請求項１３記載の医療上の処方作成システムでは、請求項１〜１２いずれか記載の医療上の処方作成システムにおいて、処方全体もしくは前記グループ別に、指示を実行する部位を指定する、実行部位入力手段を備えている。
【００１８】
請求項１４記載の医療上の処方作成システムでは、請求項１〜１３いずれか記載の医療上の処方作成システムにおいて、前記実行指定時間別、前記グループ別に、指示内容を表示もしくは印刷する、時間表表示手段を備えている。
【００１９】
請求項１５記載の医療上の処方作成システムでは、請求項１〜１４いずれか記載の医療上の処方作成システムにおいて、前記グループ別に編成された使用材料のリストからなる処方を記録し、必要に応じて呼び出し再利用する処方記録手段を備えている。
【００２０】
【発明の実施の形態】
以下図面に基づいて本発明の実施の形態を説明する。
本発明の医療上の処方作成システムは図１に示すように入力装置、制御装置、メモリ装置及び外部記憶装置から構成されているＰＣとそのネットワークからなる。
入力装置はキーボード、マウス、タブレット、タッチパネル等であり、この入力装置により、文字列データや各種命令の入力が行なわれる。
表示装置はＣＲＴや液晶ディスプレイであり、この表示装置により入力データ情報、検索結果の表示がなされる。
制御装置はＣＰＵであり、装置全体の制御を行なう。
メモリ装置はＲＯＭ、ＲＡＭであり、制御装置が各種制御や処理を実行するために必要なプログラムを格納するプログラム部と処理の際に必要なデータを格納するバッファ部を有している。
外部記憶装置はハードディスク、光磁気ディスク、フラッシュメモリ等である。
外部通信装置は、ネットワークアダプターボードとも呼ばれ、ＬＡＮに接続されている。ＬＡＮ内には、同様の他のコンピューターや大容量のデータを記録するサーバーが接続されている。ＬＡＮはモデム、ルーターなどを介し、インターネットに接続されている。
クライアントＰＣよりサーバーに薬剤標準用法用量検索、入力された処方記録などの要求を送信し、サーバーは薬品データベースの検索、電子カルテへの処方内容の記録などを行い、結果をクライアントＰＣに返信する。
【００２１】
本発明の薬剤処方についての実施例を説明する。
図２は、薬剤処方画面の一例である。
まず、使用材料検索手段の選択を行う。ここでは、以前の処方を再度使用するＤｏ検索、登録された処方セットを利用する個人セットまたは病院セット検索、薬効による検索、薬の読仮名によるカナ検索を使用可能としている。なお、従来のオーダリングでは、Ｄｏ検索、カナ検索のみしかサポートしていないものが多い。
入力手段として薬効別を選択した場合は、薬効の分類がエリアＡにツリー状に表示されるので、目的とする薬効を検索し、クリックする。選択された薬効を持つ薬剤のカテゴリーがエリアＢに展開されるので、必要な薬剤カテゴリーをクリックする。指定された薬剤カテゴリーに含まれる薬品名がエリアＣに表示される。必要な薬品名を選択し（選択手段）、「追加」ボタンをクリックすると、指定薬品が、エリアＤの処方箋テーブルに追加表示される（使用材料入力手段）。
【００２２】
図２の例では、エリアＡで個々の器官系用医薬品のうち消化器官用薬を選択し、エリアＢで、この薬効に含まれるカテゴリー中の「消化性潰瘍用剤」を選択、エリアＣに展開された、このカテゴリーに含まれる薬品名リストから「ソロン細粒１０％（１ｇ／包）」を指定している。
ここではエリアＡが大分類、エリアＢが中分類、エリアＣが中分類となって、上層から下層に枝分かれして広がりツリー状に分類されている（使用材料分類記録手段）（ツリー表示手段）。
【００２３】
図３は医薬品毎の情報をまとめた「医薬品マスターデータベース」の該当ページで、この薬品の薬効、標準用量、用法、最大投与量などが記載されている。エリアＡで表示された分類表示は、本データベースの薬効の大分類、中分類に基づいたものである。エリアＢのカテゴリーは、本データベースの薬効名称に基づいている。このように、個々の薬品の薬効を大中小の分類で記載しておくことにより、エリアＡ〜Ｃのように、ツリー状にわかりやすく表示することができる。また、予め標準用量、用法を記録しておいて、これらを参照することにより、図２に見られるように、標準用量、用法がデフォールト値として最初から表示される（材料別標準用法用量記録手段）。
【００２４】
この機能により、薬品毎の用量、用法の指定作業の大部分が省略できるので、大幅な省力化が得られる。なお、必要に応じて表示値は自由に変更できる。また、最大用量などを記録しておくことで、もし処方用量が最大用量を超えた際に、警告メッセージを出して医療事故を予防する効果も期待できる。さらに、図示はしていないが、該薬品に対応する医事請求コードも記載されており、これを参照することで医事請求システムとの連携が可能となっている。注射などでは、薬品以外に必要となる点滴回路や消毒薬等の消耗品も併せて記録しており、これらを参照することにより、在庫管理システムとの連携も可能となっている（材料管理手段）。
【００２５】
小児用基準値に体重１Ｋｇあたりの標準用量が記載されている時は、電子カルテに記録されている患児体重を参照し、両者を掛け合わせることで標準用量を表示することができる。これにより小児科領域での処方が簡便化される（標準用量計算手段）。
【００２６】
図４においては、処方に必要な薬品を、順不同に入力したものである。このままでは見づらいので、図５では「用法整理」ボタンをクリックし、同一用法の薬品をグループにまとめて表示している（グループ作成手段）。
ここでいう同一用法は、用法回数と用法名称がともに一致したものを言う。この機能により、服用法の同じ薬品が整理されて表示されるので、わかりやすく、処理時間の短縮やミスの減少が期待される。
同一用法であっても、（１）入院中の患者の向精神薬等などで、患者渡しにせず看護師管理とする場合、（２）一部を一包化する場合などは、別のグループとするのが妥当である。この場合は、一旦同一グループとした薬品のうちで別グループとすべき薬品に対しては、左端のチェックボックスにチェックを入れた後「用法解除」ボタンをクリックすることで、別グループに分離することができる（グループ分割手段）。
各薬品のみならず、グループ毎にもコメント欄を設けている。該当グループ全体へのコメントを入力できるようにしておくことで、わかりやすい、ミスを誘発しにくい処方箋とすることができる。
【００２７】
図６においては、鎮痛剤と併用の胃薬に対し、今回不要の休みのチェックを入れている（休止フラグ入力手段）。これは、定期薬として続いているが、今回は処方しないというものである。痛みの無い日は鎮痛剤を服用しないため、段々余ってきて、今週は処方不要という場合がしばしばある。従来は処方自体から削除するしかなかったが、次回の処方の際、一回のみ休みとしたはずの薬品が、以後ずっと漏れてしまうことが少なくなかった。このミスを防ぐため、定期処方箋上には残した上で今回のみ休みとする仕組みが有用である。
【００２８】
図７、８においては、注射指示箋の例をあげている。図７においては、薬効検索より必要な注射薬品を順不同で抽出してきている。図８において、同一のボトルに混注する薬品同士を、指示者がドラーグアンドドロップ方式で指定することにより、グループ化を行っている。薬剤処方同様に、グループに「メイン」「ピギー」などのコメントを付けわかりやすくすることができる。また、点滴や注射を実行する時間を指定することができる。また、複数の場所から点滴を行う際には、注射部位の指定（図８では「右上肢」）を行うことが必要である。
【００２９】
グループ化の手段としては、薬剤処方のように、同一用法の一致を用いて自動的にグループ作成を行う場合、注射処方のように、処方者がグループを構成する薬品群を指定する場合、ここでは例示しないが、例えば単純Ｘ線撮影処方箋において、体幹、上肢、下肢など、予め同一属性の指示選択肢に振られている属性コードの一致を用いて、同一属性毎のグループ作成を自動化する場合、タグの一致を用いてグループ作成を自動化する場合などがある。
集中治療室などでは、多種大量の点滴注射を、種々の部位から綿密なスケジュールに沿って実行する必要がある。複雑になるほど見落としや矛盾が増えてくる。これを防ぐため、部位別、時間別、グループ別に薬品内容を一覧表示する手段を備えている。これにより、医療ミスの抑制が可能となる。
本発明はこのような属性を入力するグループ属性入力手段を備えている。
【００３０】
処方は、比較的少数の処方パターンで８〜９割を占めることが知られている。これらの頻用の処方パターンを記録し、再利用できるようにしておけば大幅な省力化となる。図９は、頻用処方パターンの一例で、鎮痛剤の処方例である。鎮痛剤を色々使い分けられるように、種々のパターンの合成を登録しておき、最頻用をデフォールトとして、他のパターンは「休み」にチェックして抑制しておく。チェックを変化させることにより、様々な状況に柔軟に対応できる。この処方パターンは、この例では、個人セット検索で「疼痛性疾患」のタイトル名で登録されている。　通常は単一処方の再利用であるが、様々な検査や処置の日程表で処方を行うクリニカルパスウェイなどに組み込んで再利用しても良い。
【００３１】
逆に、薬効検索などを用いて頻用処方パターンを作成し、「セット登録」ボタンをクリックすれば、タイトルを問い合わせるダイアログが開き、そのタイトルで処方パターンが登録される。図１０は登録されたパターンの一例である。プレーンテキストとして薬品リストがグループ別に記録されている。「休み」にチェックが入っている薬品は、行頭に▽が付けられている。行尾の数字は、処方オーダーをレセプトコンピュータと呼ばれる請求処理用コンピューターに受け渡しするためのコードである。このコードにより、処方オーダーに対して、自動的な会計処理を行うことが可能となる。また、同時に使用される消耗品なども記録されていれば、在庫管理も可能となる。
【００３２】
本例では、処方者が自由に自分専用の処方パターンを記録できる個人セットとしているが、併せて、病院全体で共用できる病院セットも使用可能である。この場合は、個人レベルで勝手に変更できないように、セキュリティ設計が必要である。
薬局において、薬剤処方に対しては、用法別に異なる薬袋に薬品を詰める作業がある。また、注射処方に対しては、同一ボトルに混注する薬品群を一まとめにして払い出す必要がある。この際に、グループ別にラベル印刷を行う機能があれば、有用である。薬剤処方では、そのラベルを薬袋に貼付して薬品を詰める作業を行えば、間違った袋に詰めてしまう危険が減少すると同時に、ラベルの薬品名が明示されることから患者への情報提供になる。注射処方では、同一グループ毎に薬品群とラベルを小袋に詰め、患者毎に小袋群全体を大きな袋でまとめて払い出す。病棟では、小袋毎に混注し、ボトルにラベルを貼付する。このようなシステムをとれば、効率的のみならず、常に薬品の現物と処方内容が照合されるため、ミスの減少が期待される。
本発明はこのようなラベルを印刷するラベル印刷手段を備えている。
【００３３】
以上、本発明の実施の形態を説明してきたが、本発明の具体的な構成は本実施の形態に限定されるものではなく、発明の要旨を逸脱しない範囲の設計変更等があっても本発明に含まれる。
例えば、使用材料のツリー状分類記録において、本例では大中小の分類の入力から動的にツリー構造を作成することとしたが、とび先アドレスなどを用いて物理的にツリー構造を表現しても良い。また、本例では前記ツリー構造の表示を行うに際して、図２エリアＡにおいてツリー状の表示、エリアＢで選択された分類のカテゴリーリスト表示を行っているが、エリアＡ〜Ｃに大中小の分類カテゴリーを表示できれば全て一覧表示であって構わない。本例では分類の表示エリアはＡ〜Ｃの三個であるが、分類の階数に応じて増減しても構わない。
注射処方でのグループ化で、本例ではドラグアンドドロップ方式での同一グループ指定としたが、例えば最左のチェックボックスにチェックを入れた薬品群を同一グループ化するボタンをつけておく等の方法をとっても良い。
本例では、代表的な処方である薬剤処方と注射処方を取り上げたが、放射線、血液検査などの処方に関しても全く同様の手段、プログラムが適応できる。
【００３４】
【発明の効果】
以上説明してきたように本発明の医療上の処方作成システムにおいては、使用材料をツリー構造に沿って分類したので、必要な薬剤検索が容易に行なわれる。
また、ツリー分類から使用材料を選択することにより、処方テーブルに入力されるので、処方の作成が容易であり、記入時の誤記入を防止して正確に記入を行なうことができる。
休止フラグ入力手段を備えたので、薬剤の名称は定期処方箋上には残した上で、今回のみ休みであることが明確となり、次回の処方時にその薬剤の漏れを防止することができる。
材料別標準用法用量記録手段を備えたので、薬品毎の用量・用法の指定作業の大部分が省略でき、入力ミスを防止して正確に入力が行なわれる。
材料管理手段を備えたので、自動的な会計処理、消耗品などの在庫管理が可能となる。
【００３５】
標準用量計算手段を備えたので、小児または大人に応じて標準用量を自動計算し、入力が簡便化される。
グループ作成手段を備えたので、服用法の同じ薬品が整理されて表示されるので、わかりやすく、処理時間の短縮やミスの減少が期待される。
グループ属性入力手段・グループ作成手段を備えたので、処方する部位別、時間別、その他グループ別に属性コードの一致を用いてグループ作成が可能となり、処方の見落としや矛盾を防止できる。
グループ分割手段を備えたので、同一用法であっても患者渡しにせず看護師管理とするのもの、別袋とするもの等の分類処方が容易に行なわれる。
ラベル印刷手段を備えたので、袋の表にラベルを貼付して、間違った袋に詰めるミスを低減でき、薬品名が表示されるので患者へ薬剤情報を提供することができる。
【００３６】
実行指定時間入力手段を備えたので、処方時間の管理が可能であり、処方漏れを防止することができる。
実行部位入力手段を備えたので、実施段階での実行部位の処方ミスを防止できる。
時間表表示手段を備えたので、時間割に従って実施し、処方漏れを防止することができる。
処方記録手段を備えたので、同一症状については過去の処方を呼び出して使用することができ、入力の省力化が図られる。
【図面の簡単な説明】
【図１】医療上の処方作成システムのハードウェア構成を示すブロック図である。
【図２】薬効検索を用いた薬剤処方の画面を示す図である。
【図３】材料別標準用法用量記録手段の一例を示す図である。
【図４】順不同に処方薬を入力した状態を示す図である。
【図５】用法整理を行い、グループ化を行った状態を示す図である。
【図６】「休み」にチェックを入れた処方例を示す図である。
【図７】順不同に注射に使用する薬品を入力した状態を示す図である。
【図８】同一ボトル毎にグループ化し、注射部位やコメント入力、実行時間指定を行った状態を示す図である。
【図９】薬剤処方の頻用パターンを読み出した状態を示す図である。
【図１０】図９表示の頻用パターンの記録状態を示す図である。
【図１】
2004110532.tif 000003
【図２】
2004110532.tif 000004
【図３】
2004110532.tif 000005
【図４】
2004110532.tif 000006
【図５】
2004110532.tif 000007
【図６】
2004110532.tif 000008
【図７】
2004110532.tif 000009
【図８】
2004110532.tif 000010
【図９】
2004110532.tif 000011
【図１０】
2004110532.tif 000012